(57)【要約】【課題】  容器本体内に溜まる異物の排出を良好に行い得るようにする。【解決手段】  断熱構造の容器本体１と、該容器本体１の底部外面に設けられた加熱手段３とを備えてなる断熱容器において、前記容器本体１の底部に、外部に連通する二つの排出口１０，１１を設けるとともに、該二つの排出口１０，１１の上端位置を異ならしめて、二つの排出口１０，１１を、別々の機能を有する排出口として利用できるとともに、上端位置の低い方の排出口１１から内部に溜まった異物を一気に排出することができるようにしている。【選択図】        図４
2006308200.tif 000002
【特許請求の範囲】
【請求項１】
断熱構造の容器本体と、該容器本体の底部外面に設けられた加熱手段とを備えてなる断熱容器であって、前記容器本体の底部には、外部に連通する二つの排出口を設けるとともに、該二つの排出口の上端位置を異ならしめたことを特徴とする断熱容器。
【請求項２】
前記二つの排出口のうち上端位置が高い方の排出口を給湯用排出口とする一方、上端位置の低い方の排出口をドレン抜き用排出口としたことを特徴とする請求項１記載の断熱容器。
【請求項３】
前記給湯用排出口を、前記容器本体の底部面積の大部分を占める平坦面に設ける一方、前記ドレン抜き用排出口を、前記平坦面より段差が設けられた位置に設けたことを特徴とする前記請求項２記載の断熱容器。
【請求項４】
前記ドレン抜き用排出口の周りには、異物を一時的に止め置くための凹部を設けたことを特徴とする前記請求項２および３のいずれか一項記載の断熱容器。
【発明の詳細な説明】
【技術分野】
【０００１】
本願発明は、断熱容器に関し、さらに詳しくは内部に溜まる異物を良好に排出できる構造を有する断熱構造に関するものである。
【背景技術】
【０００２】
断熱構造の容器本体と、該容器本体の底部外面に設けられた加熱手段とを備えてなる断熱容器は従来から良く知られている。この種の断熱容器の場合、内部に貯留しているお湯を排出する排出口としては、容器本体の底部に１カ所設けられており、排出口に接続された給湯用パイプを介して外部への給湯を行うとともに、容器本体の底部に接続されたもう１本のパイプにより容器本体内に給水を行うようになっている。（特許文献１参照）。
【０００３】
【特許文献１】特開２００１−１１２６２４号公報。
【発明の開示】
【発明が解決しようとする課題】
【０００４】
ところが、上記構造の断熱容器の場合、排出口が１カ所であるため、排出口は給湯専用として使用されることとなっているところから、容器本体内底部に沈殿する異物の排出が難しいという不具合があった。特に、大型の断熱容器の場合、内部の清掃が困難なところから、上記不具合の解消が待たれている。
【０００５】
本願発明は、上記の点に鑑みてなされたもので、容器本体内に溜まる異物の排出を良好に行い得るようにすることを目的としている。
【課題を解決するための手段】
【０００６】
本願発明では、上記課題を解決するための第１の手段として、断熱構造の容器本体と、該容器本体の底部外面に設けられた加熱手段とを備えてなる断熱容器において、前記容器本体の底部に、外部に連通する二つの排出口を設けるとともに、該二つの排出口の上端位置を異ならしめている。
【０００７】
上記のように構成したことにより、二つの排出口を、別々の機能を有する排出口として利用できるとともに、上端位置の低い方の排出口から内部に溜まった異物を一気に排出することが可能となる。
【０００８】
本願発明では、さらに、上記課題を解決するための第２の手段として、上記第１の手段を備えた断熱容器において、前記二つの排出口のうち上端位置が高い方の排出口を給湯用排出口とする一方、上端位置の低い方の排出口をドレン抜き用排出口とすることもでき、そのように構成した場合、上端位置が高い給湯用排出口を介して容器本体内のお湯を外部へ給湯することができるとともに、上端位置が低いドレン抜き用排出口を介してドレン（異物を含む）を一気に排出することができる。しかも、給湯により容器本体内のお湯の量が減少するが、給湯用排出口の上端位置が高くなっているため、空焚きになるおそれはない。
【０００９】
本願発明では、さらに、上記課題を解決するための第３の手段として、上記第２の手段を備えた断熱容器において、前記給湯用排出口を、前記容器本体の底部面積の大部分を占める平坦面に設ける一方、前記ドレン抜き用排出口を、前記平坦面より段差が設けられた位置に設けることもでき、そのように構成した場合、平坦面より段差が設けられた位置に異物を溜め置くことができることとなり、この溜め置かれた異物をドレン抜き用排出口を介して一気に外部へ排出することが可能となる。
【００１０】
本願発明では、さらに、上記課題を解決するための第４の手段として、上記第２又は第３の手段を備えた断熱容器において、前記ドレン抜き用排出口の周りに、異物を一時的に止め置くための凹部を設けることもでき、そのように構成した場合、ドレン抜き用排出口の周りに形成された凹部に異物を溜め置くことができることとなり、この溜め置かれた異物をドレン抜き用排出口を介して一気に外部へ排出することが可能となる。
【発明の効果】
【００１１】
本願発明の第１の手段によれば、断熱構造の容器本体と、該容器本体の底部外面に設けられた加熱手段とを備えてなる断熱容器において、前記容器本体の底部に、外部に連通する二つの排出口を設けるとともに、該二つの排出口の上端位置を異ならしめたので、二つの排出口を、別々の機能を有する排出口として利用できるとともに、上端位置の低い方の排出口から内部に溜まった異物を一気に排出することが可能となるという効果がある。
【００１２】
本願発明の第２の手段におけるように、上記第１の手段を備えた断熱容器において、前記二つの排出口のうち上端位置が高い方の排出口を給湯用排出口とする一方、上端位置の低い方の排出口をドレン抜き用排出口とすることもでき、そのように構成した場合、上端位置が高い給湯用排出口を介して容器本体内のお湯を外部へ給湯することができるとともに、上端位置が低いドレン抜き用排出口を介してドレン（異物を含む）を一気に排出することができる。しかも、給湯により容器本体内のお湯の量が減少するが、給湯用排出口の上端位置が高くなっているため、空焚きになるおそれはない。
【００１３】
本願発明の第３の手段におけるように、上記第２の手段を備えた断熱容器において、前記給湯用排出口を、前記容器本体の底部面積の大部分を占める平坦面に設ける一方、前記ドレン抜き用排出口を、前記平坦面より段差が設けられた位置に設けることもでき、そのように構成した場合、平坦面より段差が設けられた位置に異物を溜め置くことができることとなり、この溜め置かれた異物をドレン抜き用排出口を介して一気に外部へ排出することが可能となる。
【００１４】
本願発明の第４の手段におけるように、上記第２又は第３の手段を備えた断熱容器において、前記ドレン抜き用排出口の周りに、異物を一時的に止め置くための凹部を設けることもでき、そのように構成した場合、ドレン抜き用排出口の周りに形成された凹部に異物を溜め置くことができることとなり、この溜め置かれた異物をドレン抜き用排出口を介して一気に外部へ排出することが可能となる。
【発明を実施するための最良の形態】
【００１５】
以下、添付の図面を参照して、本願発明の好適な実施の形態について説明する。
【００１６】
この断熱容器は、図１ないし図３に示すように、断熱構造の容器本体１と、該容器本体１の上部開口を閉蓋する蓋体２と、前記容器本体１の底部外面に設けられた加熱手段３とを備えて構成されている。
【００１７】
前記容器本体１は、全体として有底円筒形状を有しており、側周部から底部外周側にかけて連続する真空空間４を有する真空二重構造部１ａと、底面中央部に位置し且つ真空空間を有しない非真空部１ｂとからなっている。前記真空二重構造部１ａは、金属製（例えば、ステンレス製）の有底円筒状の内筒５と該内筒５の外側に位置する金属製（例えば、ステンレス製）の外筒６とによって構成される一方、前記非真空部１ｂは、前記内筒５の底面のみにより構成されている。
【００１８】
前記容器本体１の底部（即ち、非真空部１ｂ）の中央部には、上向き（換言すれば、内向き）に隆起する隆起部７が設けられており、該隆起部７の外面には、前記加熱手段として作用する電気ヒータ３が付設されている。
【００１９】
前記隆起部７は、図５に示すように、両端に位置する円弧部７ａ，７ａと該円弧部７ａ，７ａの両端部同士を連結する直線部７ｂ，７ｂとからなる平面視小判形状とされており、前記直線部７ｂ，７ｂの中央部には、円弧形状の凹み８，９が形成されている。そして、該凹み８，９に隣接する平坦面Ｘには、排出口１０，１１がそれぞれ設けられている。つまり、排出口１０，１１は、１８０°の位相差をもって形成されているのである。
【００２０】
前記電気ヒータ３は、マイカヒータとされており、発熱体１２は、図５に示すように、全体として瓢箪型とされており、前記排出口１０，１１を囲むように配置されている。該排出口１０，１１は、ともに金属パイプを前記容器本体１の底部（即ち、非真空部１ｂ）に対して溶接することにより取り付けられている。このようにすると、金属パイプからなる排出口１０，１１に電気ヒータ３の熱が伝わり易くなり、湯温が下がるのを防止できる。
【００２１】
また、前記隆起部７の中心部には、円形凸部７ｃが形成されており、該円形凸部７ｃの外面には、温度センサー１３が配設されている。
【００２２】
前記排出口１０，１１の上端位置１０ａ，１１ａの高さＨ1，Ｈ2は、Ｈ1＞Ｈ2とされており、上端位置１０ａが高い方の排出口１０は、給湯用排出口とされる一方、上端位置１１ａが低い方の排出口１１は、ドレン抜き用排出口とされている。このようにすると、上端位置１０ａが高い給湯用排出口１０を介して容器本体１内のお湯（異物を含まない）を外部へ給湯することができるとともに、上端位置１１ａが低いドレン抜き用排出口１１を介してドレン（異物を含む）を一気に排出することができる。しかも、給湯により容器本体１内のお湯の量が減少するが、給湯用排出口１０の上端位置１０ａが高くなっているため、空焚きになるおそれはない。なお、排出口１０，１１の上端位置は、前記隆起部７の上面より低位に位置せしめるのが、対流が生じ易くなる点で望ましい。
【００２３】
また、前記ドレン抜き用排出口１１の周りには、異物Ｄを一時的に止め置くための円形形状の凹部１４が前記平坦面Ｘより段差を有して形成されている。該凹部１４は、前記隆起部７の直線部７ｂ，７ｂの一方側に形成された凹み９と連続するように形成されている。このようにすると、ドレン抜き用排出口１１の周りに形成された凹部１４に異物Ｄを溜め置くことができることとなり、この溜め置かれた異物Ｄをドレン抜き用排出口１１を介して一気に外部へ排出することが可能となる。
【００２４】
一方、前記蓋体２には、水量センサー１５、湯温センサー１６および空気抜きパイプ１７が設けられている。
【００２５】
図面中、符号１８はヒータ用リード線、１９は温度センサー用リード線、２０は電気ヒータ３からの下方への放熱を遮断する遮熱板である。
【００２６】
本願発明は、上記実施の形態に限定されるものではなく、発明の要旨を逸脱しない範囲において適宜設計変更可能なことは勿論である。
【図面の簡単な説明】
【００２７】
【図１】本願発明の実施の形態にかかる断熱容器の平面図である。
【図２】図１のＩＩ−ＩＩ断面図である。
【図３】図１のＩＩＩ−ＩＩＩ断面図である。
【図４】本願発明の実施の形態にかかる断熱容器の要部を示す拡大断面図である。
【図５】本願発明の実施の形態にかかる断熱容器における容器本体底部を示す拡大平面図である。
【符号の説明】
【００２８】
１は容器本体
３は加熱手段（電気ヒータ）
１０は排出口（給湯用排出口）
１１は排出口（ドレン抜き用排出口）
１４は凹部
Ｘは平坦面
【図１】
2006308200.tif 000003
【図２】
2006308200.tif 000004
【図３】
2006308200.tif 000005
【図４】
2006308200.tif 000006
【図５】
2006308200.tif 000007